(57)【要約】【課題】  常には扉が上方にあって開口部を閉成しており、該扉を押し下げることで下降して開口部を開放し、押し下げ力を解除すると自動的に扉が上昇して開口部を閉成する構造を有する貯蔵庫では、開口部を開放している間は前記扉を手で押し下げておかなければならず、作業者の負担が大きかった。【解決手段】  扉１６を押し下げたときに、例えば該扉１６に連結したフットレバーを足で踏むことで、扉１６の開放状態をそのまま維持することができ、作業者の両手の自由が確保される。【選択図】図６
2015014419.tif 000002
【特許請求の範囲】
【請求項１】
筐体(12)の前フレーム(40)に開設した開口部(14)と、この開口部(14)と縦方向の下部に隣接する扉収容部(68)と、縦方向に昇降自在で常には上方に位置して前記開口部(14)を閉成し、前記扉収容部(68)へ移動して下方に位置することで前記開口部(14)を開放する扉(16)と、前記扉(16)を付勢して下降させることで前記開口部(14)を開放し、前記付勢を解除すると前記扉(16)が上昇して前記開口部(14)を閉成する扉開閉機構とを有する貯蔵庫(10)において、
前記扉(16)を下降させて前記開口部(14)を開放した際に、該扉(16)の開放状態を一時的に維持する操作手段(90)を設けた
ことを特徴とする貯蔵庫の扉開閉構造。
【請求項２】
前記操作手段(90)は、前記扉(16)の下端に取付けられ、該扉(16)の下降に伴い前記前フレーム(40)から外部に突出する部材である請求項１記載の貯蔵庫の扉開閉構造。
【請求項３】
前記操作手段(90)は、前記扉(16)の下端に取付けられて垂下する棒状本体(91)と、前記扉(16)が下降して前記開口部(14)を完全に開放させた位置で、貯蔵庫の設置床面に当接するよう前記棒状本体(91)を側方へ折曲げた足踏部(92)とからなる請求項２記載の貯蔵庫の扉開閉構造。
【請求項４】
前記扉(16)の下端には、立上り部(93a)と該立上り部(93a)の下部から水平に延出する舌片(93b)とからなる取付部材(93)が固定され、
前記棒状本体(91)の上端は前記立上り部(93a)にピン(96)を介して取付けられ、また該棒状本体(91)は前記舌片(93b)に形成した通孔(93c)に挿通されて垂下する請求項３記載の貯蔵庫の扉開閉構造。
【請求項５】
前記扉開閉機構は、前記扉収容部(68)における前フレーム(40)の開口部側に枢支したプーリ(62)と、
前記扉収容部(68)における前フレーム(40)に設けられ、前記プーリ(62)と反対側に位置するワイヤ巻取装置(64)と、前記ワイヤ巻取装置(64)から引出され、常に巻取り方向への駆動力が付与された状態で前記プーリ(62)に巻き掛けられた後、その開放端を前記扉(16)に固定されるワイヤ(66)とからなる請求項１記載の貯蔵庫の扉開閉構造。
【請求項６】
前記扉(16)の下端には、ヒンジ(97)の第１羽根(97a)が軸ピン(97c)を水平にして取付けられると共に、該ヒンジ(97)の第２羽根(97b)にブラケット(99)が取付けられ、
該ブラケット(99)に前記棒状本体(91)の上部が、前記軸ピン(97c)と平行になるよう枢支ピン(102)を介して揺動自在に軸支されている請求項３記載の貯蔵庫の扉開閉構造。
【請求項７】
前記扉収容部(68)の下方に、前記棒状本体(91)の昇降経路に臨んで水平に延出するガイド板(104)が取付けられ、
前記棒状本体(91)は前記ガイド板(104)に形成した通孔(105)に挿通されている請求項６記載の貯蔵庫の扉開閉構造。
【請求項８】
前記扉収容部(68)に取付けた前記ガイド板(104)の下方において、前記棒状本体(91)の昇降経路に臨んで取付けられ、前記ガイド板(104)の延出端よりも更に延出する位置に端部を臨ませた押出部(138)からなり、
前記押出部(138)の端部は斜め前方に傾斜したテーパー面(139)になっており、前記棒状本体(91)は下降するにつれて該テーパー面(139)に当接して、前記足踏部(92)が手前側へ案内されて延出する請求項７記載の貯蔵庫の扉開閉構造。
【請求項９】
前記操作手段(90)は、前記扉(16)の下端に設けた被係合部(107)と、前記扉収容部(68)を覆うフロントパネル(28)の前面に進退自在に取付けられて弾力的に付勢され、常には前記フロントパネル(28)の手前側へ延出しているフロントバー(109)と、前記フロントパネル(28)の内側に臨んでいる前記フロントバー(109)の端部である係合部(113)とからなり、
前記扉(16)を下降させて前記開口部(14)を完全に開放した際に、前記扉(16)に設けた前記被係合部(107)が前記係合部(113)の下方で近接するよう位置設定され、この状態で前記フロントバー(109)を弾力に抗して押すことにより、前記係合部(113)が前記被係合部(107)に係合して前記扉(16)が下降位置に維持される請求項１記載の貯蔵庫の扉開閉構造。
【請求項１０】
前記フロントバー(109)の両端近傍はＬ字形に折曲され、夫々の折曲部が前記フロントパネル(28)の通孔(108)を介して該フロントパネル(28)の裏側に臨むと共に、該フロントパネル(28)の裏側に固定した取付部材(110)に進退自在に挿通され、
前記取付部材(110)と前記折曲部である前記係合部(113)との間に介装した弾性部材(115)によって、前記フロントバー(109)は前記フロントパネル(28)の手前側へ常に延出するよう弾力付勢されている請求項９記載の貯蔵庫の扉開閉構造。
【請求項１１】
筐体(12)の前フレーム(40)に開設した開口部(14)と、この開口部(14)と縦方向の下部に隣接する扉収容部(68)と、縦方向に昇降自在で常には上方に位置して前記開口部(14)を閉成し、前記扉収容部(68)へ移動して下方に位置することで前記開口部(14)を開放する扉(16)と、前記扉(16)を付勢して下降させることで前記開口部(14)を開放し、前記付勢を解除すると前記扉(16)が上昇して前記開口部(14)を閉成する扉開閉機構とを有する貯蔵庫(10)において、
前記扉(16)を下降させて前記開口部(14)を開放させた際に、該扉(16)を捕捉してその開放状態を一時的に維持する捕捉手段(117)と、
前記捕捉手段(117)による前記扉(16)の捕捉を解除して、該扉(16)が前記扉開閉機構の作用下に上昇するのを許容する解除手段(121)とを設けた
ことを特徴とする貯蔵庫の扉開閉構造。
【請求項１２】
前記捕捉手段(117)は、前記扉(16)の下端に設けた被係合部(107)と、前記扉収容部(68)の下方にスプリング付きヒンジ(118)を介して取付けられ、常には係合を行う方向へ弾力付勢されている係合部(116)とからなり、
前記解除手段(121)は、前記スプリング付きヒンジ(118)に上端が枢支されて垂下し前記前フレーム(40)から外部に突出するフットレバーである請求項１１記載の貯蔵庫の扉開閉構造。
【請求項１３】
前記捕捉手段(117)は、前記扉(16)の下端に設けた被係合部(107)と、前記扉収容部(68)の下方にスプリング付きヒンジ(118)を介して取付けられ、常には係合を行う方向へ弾力付勢されている係合部(116)とからなり、
前記解除手段(121)は、前記スプリング付きヒンジ(118)にプランジヤ(127)が連結されるソレノイド(126)と、前記ソレノイド(126)に付勢または滅勢の指令を与える検出スイッチ(123)と、前記扉(16)の下端に設けられて、該扉(16)が下降して前記開口部(14)を完全に開放する位置で前記検出スイッチ(123)に検出動作を与える検出部材(125)と、前記ソレノイド(126)の付勢時にカウントを開始し、所定時間でタイムアップして前記ソレノイド(126)を滅勢させるタイマとからなる請求項１１記載の貯蔵庫の扉開閉構造。
【請求項１４】
前記捕捉手段(117)は、前記扉(16)の下端に設けた被係合部(107)と、前記扉収容部(68)の下方にスプリング付きヒンジ(118)を介して取付けられ、常には係合を行う方向へ弾力付勢されている係合部(116)とからなり、
前記解除手段(121)は、前記スプリング付きヒンジ(118)に一端が接続されたコントロールケーブル(131)と、前記コントロールケーブル(131)の他端が可動部(130)に接続される足踏みペダル(129)とからなる請求項１１記載の貯蔵庫の扉開閉構造。
【発明の詳細な説明】
【技術分野】
【０００１】
この発明は、貯蔵庫の扉開閉構造に関し、更に詳しくは、貯蔵庫の開口部を常には上昇位置で閉成し、操作者が手で押し下げることで下降して前記開口部を開放し、その押し下げ力を開放すると自動的に上昇する扉において、操作者が該扉を下降位置に所望時間だけ容易に保持し得るようにした扉開閉構造に関するものである。
【背景技術】
【０００２】
例えば業務用の製氷機は、筐体の上部に製氷室を備え、その下方に前記製氷室から放出された氷塊を貯留する貯氷庫が設けられている。貯氷室には氷塊を取り出すための開口部が設けられ、この開口部は扉により開閉自在に閉成されるようになっている。前記扉の配設パターンとしては、操作者の手前に傾動して開放するタイプや、向こう側へ撥ね上げられて開放するタイプ等がある。本発明は、貯氷庫等の扉が、常には前記開口部を上方位置で閉成しており、庫内の収容物品を取り出す際には、該扉を下方位置へ移動させることで前記開口部を開放し、かつ該扉の押し上げ力を解除すれば扉が上昇して開口部を閉成する扉開閉構造の改良に関するものである。
【０００３】
前述した扉を昇降させて開口部の開放および閉成を行う従来の開閉構造について、以下に説明する。図５９〜図６１は、特許第４１０４５８１号に係る扉開閉構造の概略を示している。図５９は、筐体１２の上段に製氷室(図示せず)が、中段に貯氷庫１０が、また下段に圧縮機等を収納する機械室(図示せず)が設けられた製氷機を示している。前記筐体１２における貯氷庫１０の前面は、フロントパネル２８により覆われ、該フロントパネル２８の上半部に矩形状の開口部１４が開設されている。この図５９は、前記開口部１４が扉１６により閉成された状態を示している。図６０は、前記フロントパネル２８を取り外した状態で示す正面図であって、扉１６は上方に位置して前記開口部１４を閉成している。また図６１は、図６０の状態から扉１６を下降させて、前記開口部１４を開放した状態を示している。
【０００４】
図６１に示す如く、開口部１４の下方には長尺部材からなるカウンタ用の錘３６と、この錘３６と前記扉１６とをリンク接続する２本のリンケージアーム３２，３４と、両リンケージアーム３２，３４の中心を交差状態で筐体に枢支する回動軸３０とが設けられている。すなわち扉１６の左右下端部は、前記２本のリンケージアーム３２，３４の各一端部にピン接続され、また前記長尺の錘の左右は、前記２本のリンケージアーム３２，３４の各他端部にピン接続してある。
このように前記扉１６は、錘３６に対して、２本のリンケージアーム３２，３４で接続されており、またカウンタ用の錘３６の重量は、前記扉１６の重量よりも大きく設定してある。このため図６０に示すように、扉１６は優勢な錘３６の重量により常には上昇位置に保持されて、開口部１４を閉成している。しかるに扉１６に手を掛けて前記錘３６の重量を超える力で押し下げると、図６１に示すように、２本のリンケージアーム３２，３４を介して扉１６が下降すると共に錘３６は上昇し、開口部１４は開放されるに到る。次いで扉１６から手を放すと、錘３６の重量により２本のリンケージアーム３２，３４は逆動作して、扉１６を自動的に上昇させて、図６０に示すように開口部１４を閉成する。
【先行技術文献】
【特許文献】
【０００５】
【特許文献１】特許第４１０４５８１号公報
【発明の概要】
【発明が解決しようとする課題】
【０００６】
前述した扉開閉構造では、扉１６の重量に対し錘３６の重量が優勢になるよう設定することで、作業者が手で該扉１６を押し上げていた力を解除すると、下降位置にあった扉１６が自動的に上昇して、前記開口部１４を閉成するものである。しかし、例えば自動製氷機の貯氷庫を想定した場合、これを使用する人はレストラン等の従業員に限られず、スーパーマーケット等で精算を終えた一般人も想定される。すなわち肉や魚等の購入品を冷却状態で持ち帰ることができるように、スーパー等の店舗で氷供給サービスのため貯氷庫を備付ける場合があるからである。
このように買物を終えた人が貯氷庫の氷を利用する際に、購入品で一杯になった買物袋を両手に持った状態で、貯氷庫の扉を開けなければならない場合が多い。この場合は、片手で前記扉を押して下降させ、貯氷庫の開口部を開口させた後に、他方の手でシャベルを持って氷を取り出すことになる。この氷を取り出している間は、買物袋を持ったままの手で、前記扉を下方へ押して開放状態を維持する必要がある。先に述べたように、扉の重量は錘の重量とのバランスを考えて設定してある。従って、前記錘が下降しようとする力に抗して、操作者が片手で扉を支える必要があるため、殊に買物袋等を持って操作する場合は、操作者の負担が大きい欠点がある。ここではスーパーマーケットの買物客の便宜を想定して述べたが、レストラン等の設備でも、調理人や従業員が片手にアイスペールやトレー等を持って扉の開放操作をする必要が多くあり、同じく前記負担を生ずる欠点があった。
【課題を解決するための手段】
【０００７】
前記課題を解決し、所期の目的を達成するため、請求項１に記載の発明は、
筐体の前フレームに開設した開口部と、この開口部と縦方向の下部に隣接する扉収容部と、縦方向に昇降自在で常には上方に位置して前記開口部を閉成し、前記扉収容部へ移動して下方に位置することで前記開口部を開放する扉と、前記扉を付勢して下降させることで前記開口部を開放し、前記付勢を解除すると前記扉が上昇して前記開口部を閉成する扉開閉機構とを有する貯蔵庫において、
前記扉を下降させて前記開口部を開放した際に、該扉の開放状態を一時的に維持する操作手段を設けたことを要旨とする。
請求項１に係る発明によれば、扉を下降させて開口部を開放した後は、操作者が操作手段を操作するだけで該扉の開放状態を所望の時間だけ一時的に維持することができ、両手の自由を確保し得る利点がある。
【０００８】
請求項２に記載の発明は、前記操作手段は、前記扉の下端に取付けられ、該扉の下降に伴い前記前フレームから外部に突出する部材であることを要旨とする。
請求項２に係る発明によれば、扉を下降させるに伴って操作手段が前フレームから操作者の足下側へ突出して来るので、操作が便利である。
【０００９】
請求項３に記載の発明は、前記操作手段は、前記扉の下端に取付けられて垂下する棒状本体と、前記扉が下降して前記開口部を完全に開放させた位置で、貯蔵庫の設置床面に当接するよう前記棒状本体を側方へ折曲げた足踏部とからなることを要旨とする。
請求項３に係る発明によれば、操作手段を足踏部を備えた棒状のフットレバーとすることで、操作者が足踏操作により扉を下降させたままにして、開口部の開放状態を維持することができて便利である。
【００１０】
請求項４に記載の発明は、前記扉の下端には、立上り部と該立上り部の下部から水平に延出する舌片とからなる取付部材が固定され、
前記棒状本体の上端は前記立上り部にピンを介して取付けられ、また該棒状本体は前記舌片に形成した通孔に挿通されて垂下することを要旨とする。
請求項４に係る発明によれば、棒状部材からなる操作手段は、取付部材を介して安定的に保持され、操作者が足踏部に対し側方への力を誤って加えても、容易に変形することがない。
【００１１】
請求項５に記載の発明は、前記扉開閉機構は、前記扉収容部における前フレームの開口部側に枢支したプーリと、
前記扉収容部における前フレームに設けられ、前記プーリと反対側に位置するワイヤ巻取装置と、前記ワイヤ巻取装置から引出され、常に巻取り方向への駆動力が付与された状態で前記プーリに巻き掛けられた後、その開放端を前記扉に固定されるワイヤとからなることを要旨とする。
請求項５に係る発明によれば、扉を下降させればワイヤ巻取装置からワイヤが巻取り方向への駆動力に抗して引出され、該扉を押し下げる力を解除すれば該ワイヤ巻取装置の巻取力によりワイヤが巻取られて扉は自動的に上昇する。
【００１２】
請求項６に記載の発明は、前記扉の下端には、ヒンジの第１羽根が軸ピンを水平にして取付けられると共に、該ヒンジの第２羽根にブラケットが取付けられ、
該ブラケットに前記棒状本体の上部が、前記軸ピンと平行になるよう枢支ピンを介して揺動自在に軸支されていることを要旨とする。
請求項６に係る発明によれば、操作手段をなす棒状本体はヒンジにより揺動し得るように軸支されて垂下しているから、扉を下降させて棒状本体が設置床面に突き当たっても、該棒状本体が僅かに揺動してショックを緩和する。また、設置床面に何等かの障害物があっても、棒状本体がこの障害物に先に突き当たり、扉への衝撃は伝わり難い利点がある。
【００１３】
請求項７に記載の発明は、前記扉収容部の下方に、前記棒状本体の昇降経路に臨んで水平に延出するガイド板が取付けられ、
前記棒状本体は前記ガイド板に形成した通孔に挿通されていることを要旨とする。
請求項７に係る発明によれば、棒状本体はヒンジを介して揺動可能になっているが、該棒状本体はガイド片の通孔に昇降自在に挿通されている。このため扉の下降に伴い棒状本体が下降するときは、ガイド片で案内されているから安定に昇降し得る利点がある。
【００１４】
請求項８に記載の発明は、前記扉収容部に取付けた前記ガイド板の下方において、前記棒状本体の昇降経路に臨んで取付けられ、前記ガイド板の延出端よりも更に延出する位置に端部を臨ませた押出部からなり、
前記押出部の端部は斜め前方に傾斜したテーパー面になっており、前記棒状本体は下降するにつれて該テーパー面に当接して、前記足踏部が手前側へ案内されて延出することを要旨とする。
請求項８に係る発明によれば、扉の下降と共に下りて来る棒状本体は、押出部のテーパー面により手前側へ押出されるため、操作者が足踏部を視認し易くなる利点がある。
【００１５】
請求項９に記載の発明は、前記操作手段は、前記扉の下端に設けた被係合部と、前記扉収容部を覆うフロントパネルの前面に進退自在に取付けられて弾力的に付勢され、常には前記フロントパネルの手前側へ延出しているフロントバーと、前記フロントパネルの内側に臨んでいる前記フロントバーの端部である係合部とからなり、
前記扉を下降させて前記開口部を完全に開放した際に、前記扉に設けた前記被係合部が前記係合部の下方で近接するよう位置設定され、この状態で前記フロントバーを弾力に抗して押すことにより、前記係合部が前記被係合部に係合して前記扉が下降位置に維持されることを要旨とする。
請求項９に係る発明によれば、扉を完全に下降させたところで、操作者がフロントバーを膝等で押すことで、扉に設けた被係合部と該フロントバーに設けた係合部が互いに係合して扉を下降状態に容易に維持することができる。フロントバーへの膝による押圧力を解除すれば、該フロントバーは原位置へ復帰し、前記係合を解除するため、扉は自動的に上昇して開口部を閉成する。
【００１６】
請求項１０に記載の発明は、前記フロントバーの両端近傍はＬ字形に折曲され、夫々の折曲部が前記フロントパネルの通孔を介して該フロントパネルの裏側に臨むと共に、該フロントパネルの裏側に固定した取付部に進退自在に挿通され、
前記取付部と前記折曲部である前記係合部との間に介装した弾性部材によって、前記フロントバーは前記フロントパネルの手前側へ常に延出するよう弾力付勢されていることを要旨とする。
請求項１０に係る発明によれば、フロントバーは常にはフロントパネルの手前側へ弾力的に延出しているので、膝による押圧力を解除すると原位置へ復帰する。
【００１７】
請求項１１に記載の発明は、筐体の前フレームに開設した開口部と、この開口部と縦方向の下部に隣接する扉収容部と、縦方向に昇降自在で常には上方に位置して前記開口部を閉成し、前記扉収容部へ移動して下方に位置することで前記開口部を開放する扉と、前記扉を付勢して下降させることで前記開口部を開放し、前記付勢を解除すると前記扉が上昇して前記開口部を閉成する扉開閉機構とを有する貯蔵庫において、
前記扉を下降させて前記開口部を開放させた際に、該扉を捕捉してその開放状態を一時的に維持する捕捉手段と、
前記捕捉手段による前記扉の捕捉を解除して、該扉が前記扉開閉機構の作用下に上昇するのを許容する解除手段とを設けたことを要旨とする。
請求項１１に係る発明によれば、扉を完全に下降させると、捕捉手段が扉を捕捉して下降状態を維持し、前記捕捉手段による捕捉を解除手段により解除すれば、扉は自動的に上昇して開口部を閉成する。
【００１８】
請求項１２に記載の発明は、前記捕捉手段は、前記扉の下端に設けた被係合部と、前記扉収容部の下方にスプリング付きヒンジを介して取付けられ、常には係合を行う方向へ弾力付勢されている係合部とからなり、
前記解除手段は、前記スプリング付きヒンジに上端が枢支されて垂下し前記前フレームから外部に突出するフットレバーであることを要旨とする。
請求項１２に係る発明によれば、扉に設けた被係合部に係脱自在に係合している係合部が、フットレバーの踏込みを開放することで解除される。
【００１９】
請求項１３に記載の発明は、前記捕捉手段は、前記扉の下端に設けた被係合部と、前記扉収容部の下方にスプリング付きヒンジを介して取付けられ、常には係合を行う方向へ弾力付勢されている係合部とからなり、
前記解除手段は、前記スプリング付きヒンジにプランジヤが連結されるソレノイドと、前記ソレノイドに付勢または滅勢の指令を与える検出スイッチと、前記扉の下端に設けられて、該扉が下降して前記開口部を完全に開放する位置で前記検出スイッチに検出動作を与える検出部材と、前記ソレノイドの付勢時にカウントを開始し、所定時間でタイムアップして前記ソレノイドを滅勢させるタイマとからなることを要旨とする。
請求項１３に係る発明によれば、扉を一定位置まで下降させるだけでソレノイドが付勢されて被係合部と係合部との係合を行い、該ソレノイドを滅勢すれば前記係合が解除される。
【００２０】
請求項１４に記載の発明は、前記捕捉手段は、前記扉の下端に設けた被係合部と、前記扉収容部の下方にスプリング付きヒンジを介して取付けられ、常には係合を行う方向へ弾力付勢されている係合部とからなり、
前記解除手段は、前記スプリング付きヒンジに一端が接続されたコントロールケーブルと、前記コントロールケーブルの他端が可動部に接続される足踏みペダルとからなることを要旨とする。
請求項１４に係る発明によれば、操作者の足下にある足踏みペダルを踏んでいる間、コントロールケーブルを介して被係合部と係合部との係合が行われ、該ペダルから足を離せば前記係合が解除される。
【発明の効果】
【００２１】
本発明によれば、扉を操作者が下降させて開口部を開放した後、操作者が必要とする時間だけ前記扉の下降状態を保持することができ、その間は操作者の両手が自由になるため負担が軽減される。
【図面の簡単な説明】
【００２２】
【図１】実施例１に係る貯蔵庫の前フレームをフロントパネルで覆った状態で示す正面図であって、前記フロントパネルの下右半分を除去し、かつ扉を下降させて開口部を開放した状態を示している。
【図２】図１に示す前フレームの斜視図であって、フロントパネルで覆われている。
【図３】(１)は、図１に示す前フレームからフロントパネルを取り外した状態を示す斜視図であり、(２)は、(１)に符号Ａで示す円で囲んだ部分の拡大図である。
【図４】図１に示す前フレームであって、フロントパネルの下右半分を除去し、かつ扉を上昇させて開口部を閉成した状態を示している。
【図５】図４に示す前フレームの斜視図であって、フロントパネルで覆われている。
【図６】(１)は、図５に示す前フレームからフロントパネルを取り外した状態を示す斜視図であり、(２)は、(１)に符号Ｂで示す円で囲んだ部分の拡大図である。
【図７】図４に示す前フレームの中央縦断側面図である。
【図８】図１に示す扉開閉機構に使用する扉の正面の斜視図である。
【図９】図８に示す扉の裏面の斜視図である。
【図１０】図１に符号Ａで示す円形部分の要部拡大図であって、ワイパの端縁部に弾性折曲片を係合させ下降した扉を位置規制している状態を示している。
【図１１】実施例２に係る扉閉成状態の貯氷庫であって、(１)は図５に示す前フレームからフロントパネルを取り外した状態を示す斜視図であり、(２)は扉の下端にヒンジを介して取付けたフットレバーが扉と共に上昇している状態を示す部分斜視図である。
【図１２】扉の下端にヒンジを介してフットレバーを取付けた状態を示す拡大側断面であって、フットレバーは垂下状態にある。
【図１３】図１１に示す貯氷庫であって、(１)は扉を開放した状態を示す斜視図であり、(２)はフットレバーの足踏部が設置床面に当接している状態を示す。
【図１４】図１２と同じ部分拡大側断面であって、フットレバーはヒンジを介して前方へ僅かに傾斜している。
【図１５】図１１(１)に示す扉の正面の斜視図である。
【図１６】扉の下端に第１羽根を介して取付けたヒンジと、このヒンジの第２羽根に取付けたアングルブラケットとの組合せを示す斜視図である。
【図１７】扉の下端にヒンジおよびブラケットを介して枢支したフットレバーが垂下している状態を示す斜視図である。
【図１８】(１)はフットレバーを案内する実施例３に係る押出部の斜視図であり、(２)は扉を下降させるとフットレバーの足踏部が操作者の足下側へ延出して、その視認性を向上させている状態を示す一部平面図である。
【図１９】(１)はフットレバーの棒状本体が扉の下降と共に下降して、押出部に当接する直前を示す一部側面図であり、(２)は(１)の状態から棒状本体が更に下降し、前記押出部のテーパー面に当接して前方へ押出されている状態を示す一部側面図である。
【図２０】実施例４に係る貯氷庫であって、扉を下降させて開口部を開放した状態で示す斜視図である。
【図２１】フロントパネルの内側に臨むフロントバーの両端部である係合部が、扉に設けた被係合ピンと係合している状態を示す部分分解斜視図である。
【図２２】フロントバーの一方の端部が、取付部材に弾性部材を介して取付けられている状態を示す部分斜視図である。
【図２３】フロントバーの端部である係合部と、扉に設け被係合ピンとが係合している状態を背面から示す部分斜視図である。
【図２４】貯氷庫の扉を閉成した状態で示す斜視図である。
【図２５】扉を上昇させた状態において、扉の左右下端に設けた各被係合ピンと、フロントバーの端部をなす各係合部との位置的な対応関係を示す説明斜視図である。
【図２６】実施例５に係る貯氷庫であって、扉を上昇させて開口部を閉成した状態を示す斜視図である。
【図２７】図２６の符号Ａで示す円形部分の拡大図であって、扉の下端に設けた被係合ピンの斜視図である。
【図２８】図２６の符号Ｂで示す円形部分の拡大図であって、係合部にフットレバーを設けた状態の斜視図である。
【図２９】図２６の貯氷庫において、扉を下降させて開口部を開放させた状態を示す斜視図である。
【図３０】扉を下降させることにより、被係合ピンが係合部に係合した状態を示す斜視図である。
【図３１】(１)は、被係合ピンが下降して係合部の係合舌片に衝き当たる直前の状態を示す断面図であり、(２)は被係合ピンが下降し切った際に、フットレバーの押圧によって係合舌片が該被係合ピンを捕捉(係合)している状態を示す断面図である。
【図３２】実施例６に係る貯氷庫であって、扉を上昇させて開口部を閉成した状態を示す斜視図である。
【図３３】図３２の符号Ａで示す円形部分の拡大図であって、扉の下端に設けた被係合ピンの斜視図である。
【図３４】図３２の符号Ｂで示す円形部分の拡大図であって、係合部にソレノイドを連結した状態の斜視図である。
【図３５】扉を下降させることにより、被係合ピンが係合部に係合しており、ソレノイドによりその係合を捕捉している状態を示す斜視図である。
【図３６】実施例７に係る貯氷庫であって、扉を上昇させて開口部を閉成した状態を示す斜視図である。
【図３７】図３６の符号Ａで示す円形部分の拡大図であって、扉の下端に設けた被係合ピンの斜視図である。
【図３８】図３６の符号Ｂで示す円形部分の拡大図であって、係合部にコントロールケーブルの一端を接続した状態を示す斜視図である。
【図３９】足踏ペダルの斜視図であって、コントロールケーブルの他端が接続されている。
【図４０】扉を下降させることにより、被係合ピンが係合部に係合した状態を示す斜視図である。
【図４１】足踏ペダルを踏み込むことにより、コントロールケーブルのワイヤが引っ張られている状態を示す斜視図である。
【図４２】変形例１に係るフットレバーが貯氷庫のフロントパネル内に収容されていて、視認し得ない状態を示す斜視図である。
【図４３】扉の下降によりフットレバーのＴ字形足踏部が、設置床面に衝き当たっている状態を示す斜視図である。
【図４４】フットレバーの棒状本体と足踏部とが、扉の上昇時は上方に位置し、扉の下降により設置床面に位置している状態を示す一部側断面図である。
【図４５】変形例２に係るフットレバーが貯氷庫のフロントパネルの前面から露出していて、外部から視認し得る状態を示す斜視図である。
【図４６】扉の下降によりフットレバーのＴ字形足踏部が、設置床面に衝き当たっている状態を示す斜視図である。
【図４７】フットレバーの棒状本体と足踏部とが、扉の上昇時は上方に位置し、扉の下降により設置床面に位置している状態を示す一部側断面図である。
【図４８】変形例３に係るフットレバーの足踏部が貯氷庫のフロントパネルの前面に露出して、常に視認し得る状態になっていることを示す斜視図である。
【図４９】扉の下降によりフットレバーのＴ字形足踏部が、設置床面に衝き当たっている状態を示す斜視図である。
【図５０】フットレバーの棒状本体と足踏部とが、扉の上昇時は上方に位置し、扉の下降により設置床面に位置している状態を示す一部側断面図である。
【図５１】変形例４に係るフットレバーの足踏部がフロントパネルの前面に露出しており、かつ該足踏部が２本の棒状本体で支持されている状態を示す斜視図である。
【図５２】扉の下降により2本の棒状本体に取付けられた足踏部が、設置床面に衝き当たっている状態を示す斜視図である。
【図５３】変形例５に係るフットレバーの足踏部が貯氷庫のフロントパネルの前面に露出して、常に視認し得る状態になっていることを示す斜視図である。
【図５４】扉の下降によりフットレバーのＴ字形足踏部が、設置床面に衝き当たっている状態を示す斜視図である。
【図５５】フットレバーの棒状本体と足踏部とが、扉の上昇時は上方に位置し、扉の下降により設置床面に位置している状態を示す一部側断面図である。
【図５６】実施例１〜３の変形例に係るフットレバーの取付け構造を示し、長孔が高く位置するように設定した場合の要部斜視図である。
【図５７】実施例１〜３の変形例に係るフットレバーの取付け構造を示し、長孔が低く位置するように設定した場合の要部斜視図である。
【図５８】図５６に示す取付け構造の分解斜視図である。
【図５９】従来技術に係る製氷機の正面図である。
【図６０】図５９に示す製氷機の前フレームを外して示す正面図であって、扉を上昇させて開口部を閉成した状態を示している。
【図６１】製氷機の扉を下降させることで、開口部を開放した状態を示す正面図である。
【発明を実施するための形態】
【００２３】
次に、本発明に係る貯蔵庫の扉開閉構造につき、実施例１〜７を挙げて説明する。なお、図５９〜図６１の従来技術で説明した部材と同じ部材については、同じ符号を付してある。また、実施例では製氷機の貯氷庫について説明したが、物品を収納して保管・貯蔵する筐体で、該物品を取り出すための開口部が存在し、この開口部を昇降する扉で開閉するものであれば、各種の保管庫、貯留庫その他貯蔵庫が含まれる。
【００２４】
〔筐体構造について〕
図１〜図３は、本願発明の実施例に係る扉開閉構造において、扉が下降した位置で開口部を完全に開放した状態を示している。また図４〜図６は、前記扉開閉構造において、扉が上昇した位置で開口部を完全に閉成している状態を示している。なお、図示の扉開閉構造は、図２に示す貯氷庫１０の筐体１２における前フレーム４０に設けられるものである。図３および図６は、筐体１２の前面に取り付けられる前フレーム４０を示し、この前フレーム４０の前面は、図２および図５に示すフロントパネル２８により覆われる。そして前フレーム４０は、左右の縦フレーム４２，４４と、両縦フレーム４２，４４に上下で横方向に接続する上フレーム４６および下フレーム４８と、上下のフレーム４６，４８の中間に位置する横フレーム５０(図７)とから構成される。また上フレーム４６と横フレーム５０との間には、殊に図３(１)に示すように、矩形状の開口部１４が画成されている。従って前記フロントパネル２８の上方にも、図２に示すように、前記開口部１４に対応する開口部５２が開設されている。更に、貯氷庫１０の底部裏面の四隅には脚部８８が設けられ、該貯氷庫１０を設置床面から所定の高さに保持している。
【００２５】
図３(１)および図６(１)において、前フレーム４０における左右の縦フレーム４２，４４の前面には、前記開口部１４を挟んで左右にスライドレール(図示せず)が縦に配設されている。このスライドレールは、前記開口部１４を昇降自在に閉成する扉１６を両側から摺動自在に案内するものであり、両スライドレールの下方には、縦に整列してガイド５８，６０が配設されている。図４〜図６に符号１６で示す扉は、透明なガラスや樹脂等を材質とする矩形状板体であって、前記開口部１４を閉成する際は、前記スライドレールにより左右を挟まれて上方に位置している。また前記開口部１４を開放する際は、図１〜図３(１)に示すように、前記扉１６はガイド５８，６０により左右を案内されて下方に位置している。なお、図８は扉１６の表面側を斜視状態で示し、その上部には横方向に延在する把手１８が設けられている。
【００２６】
〔扉開閉構造について〕
前記扉１６は、操作者が前記把手１８に手で触れて下方へ力を加えるだけで、前記開口部１４を完全開放し、手による押し下げ力を解除すると、該扉１６は自動的に上昇して開口部１４を完全閉成するものである。その扉開閉構造を、次に説明する。本実施例では、図３(１)および図６(１)に示されるように、ワイヤ巻取装置６４から引出したワイヤ６６を、前記前フレーム４０に枢支したプーリ６２を介して前記扉１６に接続することで、操作者の労力軽減を達成している。図７の縦断側面に示す如く、前フレーム４０の前面はフロントパネル２８により覆われ、前記開口部１４の下方でかつ前記フロントパネル２８の裏側には、前記扉１６が下降した際に該扉１６を完全に収容し得る扉収容部６８が画成されている。すなわち前記扉１６は、上昇位置にあるときは、図６(１)および図７に示すように前記開口部１４を閉成している。また、扉１６が下降位置にあるときは、図１および図３(１)に示すように前記扉収容部６８に収容されて、前記開口部１４を開放している。
【００２７】
図７に示すように、前記横フレーム５０の前側にプーリ取付板７０が沿設され、このプーリ取付板７０の左右端部付近に、図６(１)に示す如く、各プーリ６２が回転自在に枢支されている。また前フレーム４０における前記扉収容部６８の下方には、図３(１)および図７に示すように、前記左右の各プーリ６２に対応してワイヤ巻取装置６４が配設されている。このワイヤ巻取装置６４に巻き取られているワイヤ６６は、上方へ引き出されて対応のプーリ６２に巻き掛けられて反転し、該ワイヤ６６の先端を前記扉１６に接続している。すなわち、図８に示すように、前記扉１６における表側下端部に補強板７２が沿設され、この補強板７２の左右にＬ字形ブラケット７４が夫々固定されている。そして前記ワイヤ巻取装置６４から引出したワイヤ６６の一端は、図３(１)に示すように、前記Ｌ字形ブラケット７４に接続されている。
【００２８】
前記プーリ６２およびワイヤ巻取装置６４の配置関係については、厚みの小さいプーリ６２が、図７に示すように前記扉収容部６８の内部前側に位置している。またワイヤ巻取装置６４は、内部にワイヤ巻取ドラムや巻取用ばね等を収容しているため比較的嵩張っているが、該ワイヤ巻取装置６４は図３(１)および図７に示すように、前記扉収容部６８より下方の空きスペースに配置される。このため筐体１２に開設される開口部１４を広くすることができ、また前記プーリ６２およびワイヤ巻取装置６４を筐体１２の前側に内蔵しているにも拘わらず、前方への突出寸法を抑えて、全体としてコンパクトな構成にすることができる。
【００２９】
前記ワイヤ巻取装置６４の内部には、前記ワイヤ６６の巻取部となるワイヤ巻取ドラムと、該ワイヤ巻取ドラムに常に巻取り方向への回転力を与える過巻きばね(何れも図示せず)とが設けられている。このためワイヤ巻取装置６４から引出した前記ワイヤ６６には、常に巻取り方向への駆動力が加わっている。すなわち、ワイヤ６６をワイヤ巻取装置６４から引出しても、その引出す力を弱めたり解除したりすれば、該ワイヤ６６は自動的に該ワイヤ巻取装置６４へ巻取られる。前記ワイヤ巻取装置６４には、ワイヤ６６の巻取り力を調節する機構(図示せず)が設けられている。従って、ワイヤ巻取装置６４のワイヤ巻取力を、前記扉１６の重量による落下力(重量に扉落下時に加わる摩擦抵抗を加えた位置エネルギー)よりも少しだけ大きく設定することで、図３(１)に示す前記扉１６の下降位置から図６(１)に示す上昇位置へ上昇させる際に、該扉１６は緩徐に上昇するために急激な動きになることがない。また逆に、図６(１)に示す扉１６が開口部１４を閉成した上昇位置から、図３(１)に示す下降位置まで下降させて、前記開口部１４を開放する際も、前記ワイヤ巻取装置６４による巻取力がワイヤ６６に加わっているが、作業者は軽い力で扉開放動作を行わせることができる。すなわち前記ワイヤ巻取装置６４は、前記扉１６の自重に応じてワイヤ６６を巻取る駆動力を調節可能になっている。
なお、ワイヤ巻取装置６４に内蔵されてワイヤ６６に巻取力を与える構造としては、前述の過巻ばねに拘わらず、モータでワイヤ巻取ドラムを回転させるようにして、該モータの駆動力を扉１６の重さに応じて自動設定またはマニュアル設定ができるようにしてもよい。例えば、ワイヤ巻取装置６４のワイヤ巻取力は、操作者が開放中の扉１６から手を離すと、該扉１６が自動的に上昇して前記開口部１４を閉成するように設定される。
【００３０】
図１および図４に示すように、前フレーム４０の下方の前記扉収容部６８には、前記扉１６を下降させると所定の位置で停止させる扉停止片７６が設けられている。すなわち、図４に示す扉１６の上昇位置から、該扉１６が図１に示す定位置まで下降すると、図８で説明した扉下端縁の前記補強板７２が、前記扉停止片７６に衝き当って定位置で規制されて停止する。この場合、前述したようにワイヤ巻取装置６４におけるワイヤ巻取力の強さは、前記扉１６の自重に応じて調整されているから、該扉１６は緩徐に下降する。すなわち、前記補強板７２が前記扉停止片７６に大きな勢いで衝突することはない。
【００３１】
図８において、前記扉１６の左右下端に夫々設けた前記Ｌ字形ブラケット７４の上面には、例えば弾性ゴムやスプリング等のように、弾性を有する位置規制片７８が設けられている。この位置規制片７８は、図４および図６(１)に示すように、前記扉１６を上昇位置へ移動させて前記開口部１４を閉成した際に、前記プーリ６２が枢支されているプーリ取付板７０と下方から衝き当たって、その際の衝撃を弾力的に吸収しつつ位置規制するストッパとしての役割を果たしている。この場合も、前記ワイヤ巻取装置６４のワイヤ巻取力は扉１６の自重に応じて調節されているので、該扉１６を上昇させても緩徐に移動することは勿論である。
【００３２】
また図９に示す扉１６の裏面には、その下端縁にゴムや軟質ポリプロピレン等を材質とするワイパ８０が、横長の固定片８２および前記補強板７２により挟持固定されている。このワイパ８０は、前記扉１６を下降させる際に、前フレーム４０の前面に凝結した水滴を拭って、該水滴を図４に示す樋部材８４へ回収するためのものである。なお、前記ワイパ８０の左右両端縁は、図８，図９および図１０に示すように、扉１６の左右両端から若干延出させてある。そして図１０に示すように、前記ガイド６０に設けた鍵状の係止片８６に接触するようになっている。すなわち、前記ワイパ８０の右端面に係止片８６が接触した状態で、前記扉１６が開口部１４を完全に開放するような位置関係に設定してある。そして係止片８６がワイパの右端面に接触している間の距離が、前記扉１６に制動を掛ける状態になっている。
【００３３】
前述した扉開閉機構を備える貯氷庫１０には、前記扉１６を操作者が手で押して下降させ、前記開口部１４を完全に開放した際に、該扉１６の開放状態を操作者が望む時間だけ一時的に維持する操作手段９０が設けられている。この操作手段９０としては、実施例１〜３に示すフットレバーや、実施例４に示すフロントバーと係合部との組合せが好適例として挙げられる。
また、前記の扉開閉機構において、下降させた扉１６を捕捉して開口部１４の開放状態を一時的に維持する捕捉手段と、該捕捉手段による扉１６の捕捉を解除する解除手段とを設けた実施例５〜７も、本発明に属するものである。そこで、各実施例の構成について以下説明する。
【００３４】
〔実施例１〕
図１〜図９は、前記操作手段９０が具体的にはフットレバーであることを示している。例えば、図３(１)および図６(１)に示す如く、前記操作手段９０は、前記扉１６の下端に取付けられて下方へ延在する棒状の本体９１と、該扉１６が下降して前記開口部１４を完全に開放させた位置で、前記貯氷庫１０の設置床面に当接するように、前記棒状本体９１を該床面と平行な側方へ直角に折曲げた足踏部９２とから構成される。この操作手段９０は、ブラケット９３により安定的に取付けられている。すなわち、扉１６の正面を斜視状態で示す図８において、該扉１６の下端縁の補強板７２には、操作手段９０を支持するためのブラケット９３の上端が固定され、所要寸法だけ下方へ延在している。図３(２)に示すように、ブラケット９３は長尺の金属板材を材料とし、その中間よりやや上方を後側へ折曲させた後、僅かに後退した部位で再び直角に折曲させて立上り部９３ａを形成している。またブラケット９３の下端部は、図３(２)において、前方側へ角角に折曲されて舌片９３ｂになっている。この舌片９３ｂには、前記操作手段９０における棒状本体９１の遊挿を許容する通孔９３ｃが開設されている(図８および図９参照)。
【００３５】
前記ブラケット９３の立上り部９３ａは、図３(２)に示すように、扉１６の下端に設けた前記補強板７２に、例えばリベット９４により固着されて、該ブラケット９３の本体部を垂下させている。なお、図３(１)および図６(１)に示すように、貯氷庫１０の扉収容部６８に設けた前記樋部８４の前方には、規制板９５が水平に配設されており、該規制板９５の中央に前記ブラケット９３の挿入を許容する所定寸法の案内口９５ａが開設されている。そして図３(２)に示すように、前記扉１６に設けたブラケット９３は、前記規制板９５の案内口９５ａに遊挿されて垂下している。すなわち図３(１)に示す如く、扉１６を下降させたときは、前記ブラケット９３は前記案内口９５ａに挿入された状態で下方へ垂下する。また図６(１)に示す如く、扉１６を上昇させたときは、前記ブラケット９３は前記案内口９５ａから抜け出て、後述する棒状本体９１の下方だけが該案内口９５ａに挿入された状態になっている。すなわち棒状本体９１の足踏部９２は、前記規制板９５の裏面に僅かな間隔を保持して位置している。
前述したように、前記ブラケット９３に取付けた操作手段９０は、例えば所要太さの金属丸棒をＬ字形に折曲することで、前記棒状本体９１と足踏部９２とを形成したものである。この棒状本体９１の一端部は偏平に加工されてフラット頭部９１ａとなり、このフラット頭部９１ａに開設した通孔(図示せず)と、前記ブラケット９３の上部に開設した通孔９３ｄ(図８)とにピン９６を挿通することで、棒状本体９１の上端はブラケット９３に固定されている。このとき、棒状本体９１は、図６(２)に示すように、前記ブラケット９３の舌片９３ｂに開設した前記通孔９３ｃに遊挿され、これにより棒状本体９１を安定的に垂下させている。
【００３６】
前記棒状本体９１は、その下方を直角に折曲することで、前記足踏部９２が形成されることは前述した通りである。この場合の棒状本体９１と足踏部９２との分かれ目になる折曲部は、図３(１)および図６(１)に示す寸法関係に設定されている。すなわち、棒状本体９１の長さは、図３(１)に示す如く、扉１６を完全に下降させた際に、前記足踏部９２が貯氷庫１０の設置床面に接地して安定し、また図６(１)に示す如く、扉１６を上昇させて前記開口部１４を完全に閉成した際に、前記足踏部９２は前記規制板９５の裏面にあって、かつ該裏面と接触しない間隔を保持して位置している。また、扉１６を下降させた際に前記足踏部９２が指向する方向は、図１および図３(１)に示すように、フロントパネル２８と平行になっているのが、操作者の足下の邪魔にならないので好ましい。
【００３７】
前述したようにワイヤ巻取装置６４におけるワイヤ６６の巻取力は、扉１６を常には上方位置へ付勢するようになっていて、該扉１６により前記開口部１４を閉成している。そして、操作者が該扉１６の把手１８に手を掛けて押し下げることにより、該ワイヤ６６がワイヤ巻取装置６４から繰り出されて開口部１４を開放するが、操作者が手を外せばワイヤ巻取装置６４のワイヤ巻取力が扉１６の重量に打ち勝って、該扉１６を自動的に上昇させて開口部１４を再び閉成するものである。本実施例では、扉１６の下端部に操作手段９０が設けられており、図４および図６(１)に示すように、該扉１６が上昇位置にあるときは、該操作手段９０はフロントパネル２８の裏の扉収容部６８に位置しているため、外部からはその存在は全く判らない。
しかるに図１および図３(１)に示すように、操作者が扉１６の把手１８に手を掛けて押し下げると、該扉１６は下降して開口部１４を開放する。また扉１６の下降動作に伴って操作手段９０の棒状本体９１が前記ブラケット９３と共に下降し、棒状本体９１の下方において側方へ延出させた前記足踏部９２が床面に衝き当たって下降を停止する。そこで操作者は、前記足踏部９２を足で踏むことにより扉１６は下降姿勢が保持される。すなわち開口部１４は開放したままになり、しかも操作者は扉１６を手で押さえておく必要がないので、両手の自由が確保できて便利である。貯氷庫１０から氷を取り出した後に操作者が足踏部９２から足を離せば、前記ワイヤ巻取装置６４の作用下に扉１６は自動的に上昇し、これにより前記開口部１４を閉成する。
【００３８】
先の実施例１では、棒状本体９１と足踏部９２とからなるフットレバーについて説明した。また図示例では、棒状本体９１を扉１６の下端から垂下させた形態のフットレバーとしたが、このような棒状本体を垂下させる構成に限定されるものではない。例えば、扉１６の下端部に取付けられており、該扉１６が下降するに従って、フロントパネル２８の下方から前方へ延出して来る部材であってもよい。すなわち、扉１６の下端に取付けたペダル状の足踏部が、例えばカム機構やリンク機構の作用下に水平に手前方向へ旋回して、フロントパネル２８の下方で前方へ延出するような構成が提案される。
【００３９】
〔実施例２〕
図１１〜図１７は、本発明の実施例２を示すものであり、基本構成は実施例１を前提としている。すなわち実施例１では、操作手段９０における棒状本体９１の上部は、ブラケット９３にリベット９４で固定されている。このため扉１６を下降させると、棒状本体９１はそのまま垂直に下降して、足踏部９２を貯氷庫１０の設置床面に衝き当たらせる。このように操作手段９０(棒状本体９１および足踏部９２)が、扉１６の下降に伴い垂直に下降して設置床面に衝突すると、場合によっては衝突時の衝撃が扉１６に伝達されて、該扉１６が損傷したり耐久性が低下する等の畏れがある。
実施例２は、前述した懸念を払拭するべく提案されたものであって、操作者が扉１６を手で押して下降させると、該扉１６の下降に伴い足踏部９２も下降して前記の如く設置床面に衝き当たるが、この場合に操作手段９０が前後または左右の何れかの方向に振れることにより、衝撃を逸らして緩和させ、扉１６へ加わる衝撃を小さくする、というものである。例えば図１５および図１６に示すように、扉１６の下端中央(実施例１ではブラケット９３が固着されていた個所)に、第１羽根９７ａと第２羽根９７ｂとを軸ピン９７ｃで枢支したヒンジ９７が取付けられ、このヒンジ９７に前記操作手段９０の上端部が、貯氷庫１０の前後および左右へ僅かに揺動可能に軸支されている。
【００４０】
すなわち図１６において、ヒンジ９７の第１羽根９７ａが、扉１６の補強板７２の中央に垂直に設けた当て板９８に、前記軸ピン９７ｃを水平にした状態でリベット等により取付けられている。またヒンジ９７の第２羽根９７ｂには、金属板をＬ形に折曲してなるアングルブラケット９９が、該第２羽根９７ｂに直立姿勢を保持して取付けられている(図１６)。アングルブラケット９９が前記軸ピン９７ｃと平行になる側の面には、縦方向に所要数の通孔９９ａが開設され、また前記軸ピン９７ｃに対し直交する側の面にも縦方向に所要数の通孔９９ｂが開設されている。このように通孔９９ａおよび通孔９９ｂを複数開設するのは、後述する各部材の取付位置を細かく調節可能にするためである。前記アングルブラケット９９には、後述するＬ形片１００を介して前記操作手段９０が取付けられる。そして、前記通孔９９ａは該Ｌ形片１００を取付けるためのものであり、また前記通孔９９ｂは前記操作手段９０を取付けるためのものである。
【００４１】
前記アングルブラケット９９に操作手段９０を取付ける部材として、図１１〜図１３および図１７に示すＬ形片１００が使用される。Ｌ形片１００は、金属板をアングル状に折曲げて形成され、図１７において一方の面に開設した通孔と前記アングルブラケット９９の一方の通孔９９ａに枢支ピン１０１を挿入することで、Ｌ形片１００はアングルブラケット９９に取付けられる。また棒状本体９１のフラット頭部９１ａには、通孔を開設すると共に、前記Ｌ形片１００の他方の面も、通孔を開設しておく。そして、図１１(２)および図１２に示すように、アングルブラケット９９の前記通孔９９ｂと、棒状本体９１におけるフラット頭部９１ａの前記通孔と、Ｌ形片１００の他方の面に開設した前記通孔とを整列させた状態で、枢支ピン１０２を共通的に挿入することで、前記棒状本体９１は図１４に示す如く前後方向へ揺動可能にアングルブラケット９９に枢支される。なお、アングルブラケット９９は前記ヒンジ９７に取付けられているので、図１２に示す棒状本体９１の垂下姿勢から、図１４に示す如く、手前側へ所定の角度範囲でスイングして傾斜姿勢へ変位可能になっている。
図１１(２)および図１３(２)に示すように、貯氷庫１０における扉収容部６８には、ガイド板１０４が取付けられて水平に延出している。このガイド板１０４の水平延出部には、前記棒状本体９１の挿入を許容する充分に大径の通孔１０５が開設されている。前記ガイド板１０４が前記扉収容部６８に取付けられる位置は、図１１に示すように、扉１６を上昇させた際に、棒状本体９１の下方部分が位置し(足踏部９２はガイド板１０４の下方に位置する)、また扉１６を下降させると、図１３に示すように、棒状本体９１の上方部分が位置する関係に設定される。前記扉収容部６８の下方には、図１１(２)に示す位置規制板１０３が配設されている。この位置規制板１０３は、前記扉１６の下降に伴って下降する前記棒状本体９１の垂直な昇降経路よりも僅かに後側に位置している。すなわち、常には位置規制板１０３は棒状本体９１に接触していないが、該棒状本体９１が後方へ揺動した際は、振れ過ぎないように該位置規制板１０３が位置規制を行うようになっている。
【００４２】
実施例２の操作手段９０によれば、その棒状本体９１の頂部は扉１６の下端部に前後・左右に揺動可能に枢支され、かつヒンジ９７により前後へ更に大きく振るのを許容している。従って、仮に操作者が前記扉１６を急激に下降させて、棒状本体９１の足踏部９２が貯氷庫１０の設置床面に衝き当たっても、棒状本体９１は前後へ揺れて直接の衝撃を逸らすため、扉１６が損傷したり耐久性が早期に低下する等のことがない。
【００４３】
〔実施例３〕
実施例３は、基本構造は実施例２に示すものであるが、操作手段９０の足踏部９２が扉１６の下降に伴い操作者の足下の側へ延出して、視認性を向上させたものである。すなわち図１８(１)において、実施例２で説明した位置規制板１０３の取付位置に、これに代えて押出部１３８が配設されている。この押出部１３８は斜め上方を指向するテーパー面１３９を有し、該テーパー面１３９は前記棒状本体９１が下降する際に想定される垂直な昇降軌跡よりも僅かに前方へ張出している。従って、図１１(１)の扉１６が上昇位置にある状態から、図１３(１)に示す扉１６が下降位置に転ずると、棒状本体９１は図１９(１)に側面で示す位置から図１９(２)に示す状態になる。すなわち前記押出部１３８のテーパー面１３９に当接し、該扉１６が下降するにつれて棒状本体９１は、強制的に貯氷庫１０の手前側へ延出する。すなわち図１４に示す如く、棒状本体９１はアングルブラケット９９を介してヒンジ９７に取り付けられているので、該ヒンジ９７の第１羽根９７ａが軸ピン９７ｃを中心として上動することにより、該棒状本体９１の手前側へのスイングが許容される。この結果として、図１８(２)に示すように、足踏部９２は貯氷庫１０のフロントパネル２８より手前側へ延出するため、操作者の視野に容易に捕らえられる。
【００４４】
〔実施例４〕
図２０〜図２５は、本発明の実施例４を示すものである。先の実施例１〜３は、棒状本体９１の足踏部９２を踏むことで、扉１６を下降状態に保持するようにした構成であった。これに対し本実施例は、フロントパネルに進退自在に配設したフロントバーを操作者が膝で押さえることで扉１６を下降状態に保持し、該膝によるフロントバーへの押圧を解除することで、扉１６が自動的に上昇して開口部１４を閉成する、というものである。図２１において、扉１６の下端部の左右には、前述したＬ字形ブラケット７４が取付けられ、また該ブラケット７４には前記位置規制片７８が取付けられている。前記左右のＬ字形ブラケット７４，７４の夫々には、図２３に示すＬ形支持板１０６が取付けられている。そして左右の各Ｌ形支持板１０６には、図２５に示すように、被係合部として機能する被係合ピン１０７が内向きかつ水平に突設されて、両ピン１０７，１０７の軸線を一致させてある。すなわち扉１６の左右下端部に設けた被係合ピン１０７，１０７は、図２４で扉１６が上昇位置にあるときは、図２５に示すように同じく上昇位置にある。また図２０で扉１６が下降位置にあるときは、図２１に示すように同じく下降位置にある。
【００４５】
次に、前記被係合ピン１０７と係脱自在に係合する係合部について説明する。図２１に示すフロントパネル２８は、前述したように貯氷庫１０の扉収容部６８を着脱自在に覆う化粧部材である。前記フロントパネル２８には、平均的な身長の操作者の膝の高さに、横方向へ所定間隔で２つの通孔１０８，１０８が開設され、この２つの通孔１０８，１０８に、幅広のＵ字形状をしたフロントバー１０９が水平に遊挿されるようになっている。なお、図２１では、フロントバー１０９はフロントパネル２８の後方に位置しているが、実際はフロントバー１０９の本体部はフロントパネル２８の手前側に位置している。
【００４６】
前記フロントパネル２８の内側には、図２２および図２３に示す如く、前記２つの通孔１０８，１０８と夫々対応する位置に取付部材１１０，１１０が固着されている。前記取付部材１１０にはコ字状部１１１が形成され、このコ字状部１１１に対向的に開設した２つの通孔１１２，１１２に、図２２に示す如く、前記Ｕ字形フロントバー１０９の各端部１１３(この端部が被係合ピン１０７と係脱自在に係合する)が摺動自在に挿通されている。図２２に示すように、コ字状部１１１に設けた２つの通孔１１２，１１２に挿入された前記端部１１３には、両通孔１１２，１１２の略中間位置に係止ピン１１４が交差挿入されて、前記フロントバー１０９が前記取付部材１１０から脱落するのを防止している。また、フロントバー１０９の端部１１３には、図２２に示す如く、前記ピン１１４とコ字状部１１１の一方の内壁との間に、弾性部材、例えばコイルばね１１５が弾力的に介挿されて、前記フロントバー１０９を常には前記フロントパネル２８の前方側へ弾力的に延出させ、前記係止ピン１１４により位置規制されるようになっている。
【００４７】
このように構成することにより、前記フロントパネル２８の手前に延出しているフロントバー１０９を押圧(操作者の膝による押圧を予定している)すると、前記コイルばね１１５の弾力に抗して該フロントバー１０９は前進する。そして、前記係止ピン１１４が前記コ字状部１１１の一方の内壁に当接することで、前記フロントバー１０９の前進は位置規制される。また図２３に示すように、前記フロントバー１０９の端部１１３は、前記コ字状部１１１より内方へ所定距離だけ延出する。そして、後述する如く、前記扉１６が下降しているときは、図２３に示すように、被係合ピン１０７の上方に前記端部１１３が延出して係合する。従って、前記フロントバー１０９の両端部１１３は、前記被係合ピン１０７と係脱自在に係合する意味において、係合部としての機能を果たすものである。
【００４８】
前記扉１６の左右に取付けた各Ｌ形支持板１０６に設けられて延出する前記被係合ピン１０７と、前記フロントバー１０９が前記フロントパネル２８の裏側へ延出している端部(係合部)１１３との位置関係は、図２５および図２３に示す通りである。すなわち図２５に示すように、上昇姿勢にある扉１６の下端に設けた被係合ピン１０７は、該扉１６を完全に下降させると、図２３に示すように、フロントバー１０９の端部である係合部１１３の進退位置より僅か下方で停止するようになっている。なお図２３は、フロントバー１０９が押圧されて前進している状態を示しているため、その係合部１１３は前記被係合ピン１０７の上方に位置して係合状態になっている。しかし、常には前記コイルばね１１５の弾力によりフロントバー１０９は前記フロントパネル２８の正面側へ後退しているので、係合部１１３も僅かに後退しており、前記被係合ピン１０７の定位置への下降停止を許容している。
【００４９】
従って、図２４に示すように、扉１６が上方位置にあって開口部１４を閉成しているときは、被係合ピン１０７と係合部１１３とは、図２５に示す位置関係で離間している。しかるに操作者が扉１６を下降させると、扉１６に設けた被係合ピン１０７も下降して、図２３に示す定位置で停止し、前記開口部１４を完全に開放する。この状態で操作者が、自分の膝でフロントバー１０９を前記コイルばね１１５の弾力に抗して押圧すると、該フロントバー１０９の両端部をなす各係合部１１３は、図２３に示すように、前記被係合ピン１０７の上方に到来して両部材１０７，１１３が係合するに到る。これにより扉１６は、操作者が膝でフロントバー１０９を押圧している間、下降位置に保持される。そして操作者が膝による押圧を解除すると、コイルばね１１５の復帰弾力によりフロントバー１０９は後退して原位置へ復帰し、前記係合部１１３は被係合ピン１０７との係合を解除する。このため扉１６は、ワイヤ巻取装置６４のワイヤ巻取りにより上昇し、前記開口部１４を閉成するに到る。
【００５０】
〔実施例５〕
実施例５は、後述する実施例６および実施例７と上位概念が共通する貯蔵庫の扉開閉機構である。すなわち実施例５〜７は、扉１６を下降させて開口部１４を開放させた際に、この扉１６を捕捉して扉開放状態を一時的に維持する捕捉手段と、前記捕捉手段による扉１６の捕捉を解除して、該扉１６が前述したワイヤ巻取装置６４の作用下に上昇するのを許容する解除手段とを備えている。
実施例５において、図２７は、図２６の円Ａで囲んだ部分の拡大図であって、扉１６の左右下端縁に設けた前記Ｌ形支持板１０６に被係合部となる被係合ピン１０７が水平に配設されている。この被係合ピン１０７の配設関係は、実施例４で図２１および図２３を参照して説明した通りである。また図２８は、図２６の円Ｂで囲んだ部分の拡大図であって、前記被係合ピン１０７と常には係合する方向へ弾力付勢された係合部１１６が開示されている。そして、前記被係合ピン１０７と係合部１１６とを総称して、本明細書では捕捉手段１１７という。
【００５１】
図２６および図２８において、前記係合部１１６は、扉収容部６８の下方に取付けたスプリング付きヒンジ１１８を介して取付けられ、常には前記被係合ピン１０７と係合を行う方向(図２８の矢印方向)へ弾力的に付勢されている。すなわち図３０に示すように、Ｌ字形取付板１１９の立上り部１１９ａが前記扉収容部６８の化粧板に取付けられ、またＬ字形取付板１１９の水平延出部１１９ｂには、前記スプリング付きヒンジ１１８の第１羽根１１８ａが固定され、また第２羽根１１８ｂには前記係合片１１６が取付けられている。前記ヒンジ１１８には、その軸ピン１２０に捩りスプリング等の弾性部材が介装され(図示せず)、図２８に示すように、第２羽根１１８ｂおよびこれに取付けた係合片１１６を矢印方向へ弾力的に付勢している。
【００５２】
前記係合部１１６には、弾性に富む金属を材質とする係合舌片１１６ａが一体形成されている。この係合舌片１１６ａは、図３１(１)に示すように、前記被係合ピン１０７が扉１６と共に下降する際の軌跡よりも僅かに奥側へ退避した位置に存在している。すなわち前記扉１６が上昇位置にあるときは、該扉１６に設けた被係合ピン１０７と扉収容部６８に設けた前記係合部１１６とは、図２７，図２８および図３１(１)に示す位置関係を保って離間している。そして、図２９に示すように扉１６を完全に下降させると、被係合ピン１０７も下降して、図３１(２)に示す位置で停止する。
図２６および図２８に示すように、係合舌片１１６ａを備える係合部１１６には、解除手段としてＬ字形棒材からなるフットレバー１２１が、その上端においてピン１２２により軸支されている。このフットレバー１２１のＬ字形に屈曲した部分は、操作者による足踏部１２１ａとして機能する。すなわち前記フットレバー１２１を操作者が足で踏むと、スプリング付きヒンジ１１８の弾力に抗して、前記第２羽根１１８ｂおよび係合片１１６は図３１(２)に矢印で示す方向へ僅かに回動して停止する。また足踏部１２１ａを足から外すと、スプリング付きヒンジ１１８の復帰弾力により、図３１(１)に示すように、係合舌片１１６ａは反時計方向へ回動する。
【００５３】
次に、実施例５の動作を説明する。前述したように扉１６を完全に下降させる前は、被係合ピン１０７と係合片１１６の係合舌片１１６ａとの位置関係は、図３１(１)に示す状態になっている。扉１６を下降させると、これに伴い被係合ピン１０７は垂直に下降し、図３１(１)に示す位置を通過して、図３１(２)に示す安定位置で停止する。このタイミングで操作者が前記フットレバー１２１を足で踏むと、前述の通りスプリング付きヒンジ１１８の第２羽根１１８ｂは、軸ピン１２０を中心としてスプリングの弾力に抗しつつ、図３１(２)に示す矢印方向へ回動する。これにより第２羽根１１８ｂに設けた係合舌片１１６ａが、安定位置で停止している前記被係合ピン１０７を把持して係合捕捉するに到る。このため扉１６の自動上昇は、フットレバー１２１を踏んでいる間規制される。
なお、扉１６が完全に下降し切る前に、操作者がフットレバー１２１を踏んでしまうこともあり得る。これは、被係合ピン１０７が図３１(２)に示す位置に到来する前に、係合舌片１１６ａは図３１(２)に示す状態になっていることを意味する。この場合であっても、係合舌片１１６ａは前述の如く弾性に富む金属を材質としているから、被係合ピン１０７が下降して係合舌片１１６ａに当接すると、該係合舌片１１６ａは、図３１(２)において左方向へ僅かに変形した後に被係合ピン１０７を安定的に係合捕捉する。
次に操作者がフットレバー１２１から足を離すと、スプリング付きヒンジ１１８の復帰弾力が作用して、第２羽根１１８ｂおよび係合舌片１１６ａを、図３１(２)の反時計方向へ回動させる。これにより係合舌片１１６ａは、被係合ピン１０７から離脱して前記係合を開放するため、扉１６は前記ワイヤ巻取装置６４によるワイヤ１３３の巻取りにより自動的に上昇して前記開口部１４を開成する。
【００５４】
〔実施例６〕
先の実施例５は、被係合ピン１０７に係脱自在に係合している係合部１１６を解除する手段は、操作者の足踏みで行うフットレバー１２１であった。しかし実施例６では、前記フットレバーに代わる解除手段として、扉１６が定位置へ下降したことを検出して電気的に動作するソレノイドを採用したものである。すなわち実施例６において、被係合部として扉１６に設けた被係合ピン１０７を使用し、また該被係合ピン１０７と係脱自在に係合する係合部として係合舌片１１６ａを使用することは、前述した実施例５と同じである。また、係合部１１６を扉収容部６８に取付ける手段として、前記スプリング付きヒンジ１１８が使用されることも同じである。
図３２の円Ａで囲んだ部分を拡大した図３３において、扉１６の下端の補強板７２には、図３４に示すマイクロスイッチ１２３の検出レバー１２４に接触すると、該スイッチ１２３をＯＮ動作させる位置検出片１２５が取付けられている。ここで前記マイクロスイッチ１２３は、図３２および図３５に示すように、前記扉１６と共に下降する前記位置検出片１２５の下降軌跡中にあり、かつ該扉１６が完全に下降した位置において、前記検出レバー１２４が接触する位置関係に設定されている。
【００５５】
前記解除手段として、図３２の円Ａおよび図３４に示されるソレノイド１２６が、前記扉収容部６８の下方に設けられている。前記ソレノイド１２６は、本体から直線的に進退移動するプランジヤ１２７を上方に向けて配設され、該プランジヤ１２７と前記係合部１１６とは、連結片１２８を介して連結されている。そして、前記マイクロスイッチ１２３が扉１６の下降を検出していないときは、前記ソレノイド１２６は滅勢されていて、図３４に示すように、プランジヤ１２７を上方へ延出させて次の動作を待機している。従って、前記プランジヤ１２７に連結片１２８を介して連結している前記係合部１１６も、スプリング付きヒンジ１１８の弾力付勢下に係合舌片１１６ａを斜め後方へ傾けて、前記扉１６と共に下降する被係合ピン１０７の到来を待機している。
【００５６】
操作者が扉１６の把手１８に手を掛けて下降させると、該扉１６が所定距離だけ下降した時点で、前記検出片１２５がマイクロスイッチ１２３の検出レバー１２４を押圧してＯＮ動作させる。このとき被係合ピン１０７は、係合部１１６の係合舌片１１６ａと対面する位置にまで到来している。そして前記マイクロスイッチ１２３のＯＮ動作によって、前記ソレノイド１２６は電磁付勢されてプランジヤ１２７は下方へ後退し、連結片１２８を介して係合部１１６を下方へ付勢する。すると前記係合部１１６は、スプリング付きヒンジ１１８の弾力に抗しつつ図３５に矢印で示す方向へ回動し、係合舌片１１６ａが被係合ピン１０７を捕捉して係合する。
【００５７】
前記ソレノイド１２６とマイクロスイッチ１２３との制御回路には、図示しないタイマが設けられている。このタイマは、前記マイクロスイッチのＯＮ動作時(ソレノイド１２６の付勢時)にカウントを開始し、予め入力した所定の時間をカウントするとタイムアップして、前記ソレノイド１２６を滅勢させるよう設定してある。従って、図３５に示す係合舌片１１６ａが被係合ピン１０７に係合した捕捉状態において、所定の時間(例えば３０秒)を経過すると前記タイマがカウントアップし、前記ソレノイド１２６を滅勢する。これによりソレノイド１２６に内蔵した弾性部材(図示せず)の復帰弾力により、プランジヤ１２７は上方へ前進して、図３４に示す状態へ復帰する。すなわちプランジヤ１２７による係止を解除された係合舌片１１６ａは、スプリング付きヒンジ１１８の復帰弾力により反時計方向へ回動し、被係合ピン１０７に対する係合を解除する。このため下降位置に保持されていた扉１６は、ワイヤ巻取装置６４によりワイヤ６６を巻取られて自動的に上昇し、前記開口部１４を閉成する。
なお、前述したところは、制御回路に内蔵したタイマの設定時間がカウントアップすると、ソレノイド１２６が滅勢して扉１６の保持を解除するものであった。この実施例６の変更例として、人感センサを使用することもできる。例えばフロントパネル２８や開口部１４の近辺に、人の接近を検知して電気信号を出す人感センサを設置する。前述した如く、扉１６を下降させて開口部１４を開放すると、ソレノイド１２６が付勢されて、係合舌片１１６ａが被係合ピン１０７を捕捉係合する。前記人感センサは、フロントパネル２８の前に人がいることを検知している間は前記係合状態のロックを継続する。そして、人が立ち去ったことを前記人感センサが検出するとロックを解除して、前記ソレノイド１２６を滅勢し扉１６を自動的に上昇させる。ここで使用する人感センサは近接センサであり、例えば、人体の容量を検出するキャパシティーセンサや、光電センサ等が選択的に使用される。
【００５８】
〔実施例７〕
実施例７は、先の実施例５が扉１６を任意時間だけ開放保持するフットレバーであったのに対し、これを足踏みペダルとコントロールケーブルとの組合せに代えたものである。従って、図３６の円Ａを拡大した図３７に示す被係合ピン１０７の取付け構造と、図３６の円Ｂを拡大した図３８に示す係合部１１６の取付け構造は、実施例５に示す構造と基本的に同じである。すなわち実施例７では、図３６に示す貯氷庫１０の足下に足踏みペダル１２９が設置され、操作者が任意にペダル部１３０を足踏みすることで、該ペダル部１３０に接続したコントロールケーブル１３１を介して動きを係合部１１６へ伝達し得るようになっている。
【００５９】
前記ペダル部１３０は、足踏みペダル１２９の本体に弾性片１３２を介して枢支され、該弾性片１３２の弾力作用下に、該ペダル部は図３９に示す如く、常には斜め上方に浮き上がって静止している。コントロールケーブル１３１は、長尺のシース１３４にワイヤ１３３を挿通した公知のもので、該ワイヤ１３３の一端はラグ１３７を介して前記ペダル部１３０に遊着されている。また前記ワイヤ１３３の他端は、図３８に示すように、係合部１１６に遊着されている。なお、図３８に示す如く、シース１３４の上端は、係止片１３５の下面に固定され、該係止片１３５の上面から前記ワイヤ１３３が延出して、ラグ１３６を介して前記係合部１１６に取付けられている。
【００６０】
コントロールケーブル１３１の長さは、図４０および図４１に示すように、扉１６を下降させて被係合ピン１０７が係合舌片１１６ａに対面したところで、操作者が足踏みペダル１２９を踏めば、ペダル部１３０の変位距離だけワイヤ１３３が引き下げられて、係合舌片１１６ａをスプリング付きヒンジ１１８の弾力に抗して矢印方向へ回動させ、該係合舌片１１６が被係合ピン１０７に係合(捕捉)する寸法に設定してある。操作者は、任意の時間だけペダル部１３０を踏むことで係合状態を持続させ、該ペダル部１３０から足を離すと、スプリング付きヒンジ１１８の復帰弾力により、係合部１１６は図３８の矢印方向に回動する。これにより扉１６は、ワイヤ巻取装置６４によるワイヤ６６の巻取りにより自動的に上昇し、前記開口部１４を閉成する。
【００６１】
〔変形例〕
実施例１に示す操作手段９０は、棒状本体９１と足踏部９２とからなるフットレバーであった。このフットレバーについては、図１〜図６に示す構成以外に複数の変形例が存在するので、各変形例について説明する。
(１)図４２〜図４３は変形例１を示し、前記操作手段９０は、貯氷庫１０の扉１６を開成した状態では、図４２に示す如く、フロントパネル２８に完全に収納されている。扉１６を完全に下降させると足踏部９２が設置床面に衝き当たるまで降りてくるが、該足踏部９２は図４３に示すように、Ｔ字形に左右に延出しているので、操作者が足で踏み易い利点がある。また、図４３および図４４に示すように、足踏部９２は断面において蒲鉾状に膨出しているため、操作者の足裏に馴染み易い利点がある。
(２)図４５〜図４７は変形例２を示し、変形例１に示した足踏部９２が、フロントパネル２８の下部中央に開設した開口部２８ａに臨んでいる。このため足踏部９２は、常にフロントパネル２８の前面に露出しており、操作者が視認し易い利点がある。
(３)図４８〜図５０は変形例３を示し、フロントパネル２８の前面に足踏部９２だけを露出させ得るようになっている。このためフロントパネル２８の下部中央に１本のスリット２８ｂが縦に開設され、図５０に示す如く、棒状本体９１の下部が前記スリット２８ｂを介して僅かにフロントパネル２８の外方へ延出している。そして、この棒状本体９１の延出端に足踏部９２が設けられている。
(４)図５１および図５２は変形例４を示し、フロントパネル２８の下部に２本のスリット２８ｂ，２８ｂを平行に開設したものである。そして前記操作手段９０における棒状本体９１は２本平行に設けられ、これら２本の棒状本体９１，９１に前記足踏部９２が取付けられている。この場合は、フロントパネル２８の前面に足踏部９２が常に露出しているため視認し易く、しかも２本の棒状本体９１，９１で足踏部９２を支えるので剛性が向上する利点がある。
(５)図５３〜図５５は変形例５を示し、前記変形例３の更なる変形例である。すなわちフロントパネル２８の中央にスリット２８ｃが縦に１本開設され、このスリット２８ｃを介
して棒状本体９１とＴ字形に左右に延在する足踏部９２とが露出している。この場合も、足踏部９２の存在が常にフロントパネル２８の前方で視認されるため、操作者にとり使い勝手が良い利点がある。
【００６２】
〔実施例１〜３の変形例〕
実施例１〜３は、操作手段９０として棒状本体９１と足踏部９２とからなるフットレバーを使用している。実施例に係る貯氷庫１０の底部に設けた４本の脚部８８は、個々の高さを調節することで、該貯氷庫１０の設置床面の凹凸状況等に応じ一定の範囲で高低調節可能になっている。そして、前記脚部８８を高さ方向へ調節すると、貯氷庫１０の底面は相対的に床面から高く設置されることになる。この脚部８８を高く調節した後に、前記扉１６を下降させると、これに伴い下降した前記フットレバー９０の足踏部９２が、設置床面に届かないで浮き上がった状態になることがある。このように足踏部９２が浮き上がった状態で、操作者が該足踏部９２を強く踏み込むと、前記フットレバー９０の荷重を上方で支持している前記アングルブラケット９９が変形することがある。
【００６３】
図５６〜図５８に示す構造は、前記不都合に対応するものである。この構造は、実施例１〜３および前述した変形例１〜５の何れにも応用可能であるので、ここでは実施例２に適用した場合を説明する。図５６に示す構成は、実施例２における図１３(２)および図１６に示す構成を基礎としている。すなわちフットレバー９０における棒状本体９１の上部に設けた横方向のピンを、支持部材に開設した縦長の孔に昇降可能に遊挿させることで、貯氷庫１０が設置床面から多少高くなっても高さ変化を吸収して、足踏部９２が床面から浮き上がらないようになっている。
【００６４】
図５６〜図５８に示すように、扉１６の下端縁に設けた前記補強板７２には、図１６に関して説明した当て板９８が取付けられている。この当て板９８には、前記ヒンジ９７の第１羽根９７ａが水平に固定されると共に、手前側へ延出している第２羽根９７ｂには、上面がコ字状をなすチャンネル部材１４２の後方折返し部１４２ａが固定されている。すなわち、図５８においてチャンネル部材１４２は、前記当て板９８に対しヒンジ９７を介して取付けられているため、前後へ揺動可能になっている。このチャンネル部材１４２には、Ｌ形板からなる縦長の第１支持部材１４４と、これより縦寸法が短い第２支持部材１４６とが、前記棒状本体９１の直径より大きい間隔を保持して対向的に取付けられている。第１支持部材１４４には、棒状本体９１の上部に貫通固定されて左右に延出するピン１４８の直径より僅かに大きい幅の第１長孔１４４ａが縦に開設されている。また第２支持部材１４６にも、同じく第２長孔１４６ａが縦に開設されている。なお、第２支持部材１４６における第２長孔１４６ａの縦の長さＬ１は、第１支持部材１４４における第１長孔１４４ａの縦の長さＬ２の１／２に設定されている。
【００６５】
第１支持部材１４４および第２支持部材１４６は、図５６および図５７に示すように、夫々の第１長孔１４４ａおよび第２長孔１４６ａに前記棒状本体９１におけるピン１４８の両端を遊挿させた状態で、前記チャンネル部材１４２に取付けられる。すなわち第１支持部材１４４の折曲片１４４ｂに上下に開設した２つの通孔１５０と、チャンネル１４２に対応的に開設した２つのネジ孔１５２とを整列させ、スクリューボルト１５４を螺挿することで、第１支持部材１４４はチャンネル部材１４２に固定される。第２支持部材１４６も同様にチャンネル部材１４２に固定されるが、該チャンネル部材１４２にはネジ孔１５８が等間隔で３つ開設されている。例えば図５８において、チャンネル部材１４２に設けられる上段のネジ孔１５６と中段のネジ孔１５６との間隔Ａは、第２支持部材１４６に開設されている２つの通孔１５８，１５８の間隔Ａと等しく設定してある。また、チャンネル部材１４２における中段のネジ孔１５６と下段のネジ孔１５６との間隔Ａも、前記各間隔Ａと等しく設定してある。
【００６６】
従って、通常は図５６に示すように、第２支持部材１４６はチャンネル部材１４２に上段と中段のネジ孔１５６，１５６を使用して取付けられている。このとき棒状本体９１の上部にある貫通ピン１４８は、第２支持部材１４６の長孔１４６ａの下端で支持されて、前後への揺動可能になっている。このため、前述したように脚部８８を高くなる方向へ調節して貯氷庫１０が床面より若干高くなったとしても、前記長孔１４６ａにより高低差は吸収され、扉１６と共に下降するフットレバー９０の足踏部９２が床面に当接して浮き上がることがない。なお、脚部８８の高さ方向への調節が大きくなされ、図５６に示す第２支持部材１４６の位置では前記高低差を吸収し切れない場合は、図５７に示すように、チャンネル部材１４２の中段のネジ孔１５６と下段のネジ孔１５６とを使って、第２支持部材１４６を下方へ付け替えればよい。
【符号の説明】
【００６７】
１０  貯氷庫(貯蔵庫)，１２  筐体，１４  開口部，１６  扉，
２８  フロントパネル，４０  前フレーム，６２  プーリ，６４  ワイヤ巻取装置，
６６  ワイヤ，６８  扉収容部，９０  操作手段，９１  棒状本体，９２  足踏部，
９３  ブラケット(取付部材)，９３ａ  立上り部，９３ｂ  舌片，９３ｃ  通孔，
９６  ピン，９７  ヒンジ，９７ａ  第１羽根，９７ｂ  第２羽根，９７ｃ  軸ピン，
９９  アングルブラケット，１０２  枢支ピン，１０４  ガイド板，１０５  通孔，
１０７  被係合ピン(被係合部)，１０８  通孔，１０９  フロントバー，
１１０  取付部材，１１３  端部(係合部)，１１５  コイルばね(弾性部材)，
１１６  係合部，１１７  捕捉手段，１１８  スプリング付きヒンジ，
１２１  フットレバー(解除手段)，１２３  マイクロスイッチ(検出スイッチ)，
１２５  位置検出片(検出部材)，１２６  ソレノイド，１２７  プランジヤ，
１２９  足踏みペダル，１３０  ペダル部(可動部)，１３１  コントロールケーブル，
１３８  押出部，１３９  テーパー面
【図１】
2015014419.tif 000003
【図２】
2015014419.tif 000004
【図３】
2015014419.tif 000005
【図４】
2015014419.tif 000006
【図５】
2015014419.tif 000007
【図６】
2015014419.tif 000008
【図７】
2015014419.tif 000009
【図８】
2015014419.tif 000010
【図９】
2015014419.tif 000011
【図１０】
2015014419.tif 000012
【図１１】
2015014419.tif 000013
【図１２】
2015014419.tif 000014
【図１３】
2015014419.tif 000015
【図１４】
2015014419.tif 000016
【図１５】
2015014419.tif 000017
【図１６】
2015014419.tif 000018
【図１７】
2015014419.tif 000019
【図１８】
2015014419.tif 000020
【図１９】
2015014419.tif 000021
【図２０】
2015014419.tif 000022
【図２１】
2015014419.tif 000023
【図２２】
2015014419.tif 000024
【図２３】
2015014419.tif 000025
【図２４】
2015014419.tif 000026
【図２５】
2015014419.tif 000027
【図２６】
2015014419.tif 000028
【図２７】
2015014419.tif 000029
【図２８】
2015014419.tif 000030
【図２９】
2015014419.tif 000031
【図３０】
2015014419.tif 000032
【図３１】
2015014419.tif 000033
【図３２】
2015014419.tif 000034
【図３３】
2015014419.tif 000035
【図３４】
2015014419.tif 000036
【図３５】
2015014419.tif 000037
【図３６】
2015014419.tif 000038
【図３７】
2015014419.tif 000039
【図３８】
2015014419.tif 000040
【図３９】
2015014419.tif 000041
【図４０】
2015014419.tif 000042
【図４１】
2015014419.tif 000043
【図４２】
2015014419.tif 000044
【図４３】
2015014419.tif 000045
【図４４】
2015014419.tif 000046
【図４５】
2015014419.tif 000047
【図４６】
2015014419.tif 000048
【図４７】
2015014419.tif 000049
【図４８】
2015014419.tif 000050
【図４９】
2015014419.tif 000051
【図５０】
2015014419.tif 000052
【図５１】
2015014419.tif 000053
【図５２】
2015014419.tif 000054
【図５３】
2015014419.tif 000055
【図５４】
2015014419.tif 000056
【図５５】
2015014419.tif 000057
【図５６】
2015014419.tif 000058
【図５７】
2015014419.tif 000059
【図５８】
2015014419.tif 000060
【図５９】
2015014419.tif 000061
【図６０】
2015014419.tif 000062
【図６１】
2015014419.tif 000063